【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
主表示手段と副表示手段とを有し、特別図柄を変動表示する図柄表示装置が設けられた遊技機であって、
前記特別図柄は、変動停止時の表示態様に基づいて大当たり状態へ移行するか否かを遊技者に報知する図柄であって、
前記図柄表示装置は、所定の遊技条件が成立した場合に、成立した遊技条件の種類に応じて、前記主表示手段と前記副表示手段の全部または一部を選択的に用いながら、前記特別図柄を変動表示し、
前記図柄表示装置は、第１の遊技条件が成立した場合は、前記主表示手段のみで前記特別図柄を変動表示し、第２の遊技条件が成立した場合は、前記主表示手段に加え、前記副表示手段においても前記特別図柄を変動表示することを特徴とする、
遊技機。
【請求項２】
請求項１に記載の遊技機であって、
前記主表示手段に加え、前記副表示手段においても前記特別図柄を変動表示する場合は、前記主表示手段に表示される特別図柄のデザインと、前記副表示手段に表示される特別図柄のデザインとを統一化することを特徴とする遊技機。
【請求項３】
請求項１に記載の遊技機であって、
前記主表示手段に加え、前記副表示手段においても前記特別図柄を変動表示する場合は、前記主表示手段に表示される特別図柄と、前記副表示手段に表示される特別図柄とを連動させて変動表示することを特徴とする遊技機。

【手続補正２】
【補正対象書類名】明細書
【補正対象項目名】０００６
【補正方法】変更
【補正の内容】
【０００６】
上記課題を達成するため、各請求項記載の発明が構成される。
請求項１に記載の発明によれば、主表示手段と副表示手段とを有し、特別図柄を変動表示する図柄表示装置が設けられた遊技機であって、
前記特別図柄は、変動停止時の表示態様に基づいて大当たり状態へ移行するか否かを遊技者に報知する図柄であって、
前記図柄表示装置は、所定の遊技条件が成立した場合に、成立した遊技条件の種類に応じて、前記主表示手段と前記副表示手段の全部または一部を選択的に用いながら、前記特別図柄を変動表示し、
前記図柄表示装置は、第１の遊技条件が成立した場合は、前記主表示手段のみで前記特別図柄を変動表示し、第２の遊技条件が成立した場合は、前記主表示手段に加え、前記副表示手段においても前記特別図柄を変動表示することを特徴とする。
前記主表示手段に加え、前記副表示手段においても前記特別図柄を変動表示する場合は、前記主表示手段に表示される特別図柄のデザインと、前記副表示手段に表示される特別図柄のデザインとを統一化することを特徴とするものとしても良い。
また、前記主表示手段に加え、前記副表示手段においても前記特別図柄を変動表示する場合は、前記主表示手段に表示される特別図柄と、前記副表示手段に表示される特別図柄とを連動させて変動表示することを特徴とするものとしても良い。
遊技情報に関する所定の図柄をそれぞれ表示する第１および第２の図柄表示手段を少なくとも有する図柄表示装置が設けられた遊技機であって、前記第１の図柄表示手段における表示図柄の表示態様と、前記第２の図柄表示手段における表示図柄の表示態様とが互いに関連付けられた第１ の図柄表示状態と、互いに関連付けられない第２の図柄表示状態との間で切り替え可能に構成されていることを特徴とするものとしても良い。本発明における「遊技情報に関する所定の図柄」は、遊技に関する情報を示す文字、図形、記号、あるいは他の可視的符号が広く含まれ、例えば特別遊技状態取得のチャンスを遊技者に与えるべく変動表示状態とされた特別図柄、あるいは特別遊技状態に移行して固定表示状態とされた特別図柄といったように、遊技機における遊技状態を遊技者に提示するための図柄を広く包含するものとする。また遊技機は、例えばパチンコ、スロットルマシン等の遊技装置を広く包含するものとする。 
【手続補正３】
【補正対象書類名】明細書
【補正対象項目名】０００９
【補正方法】変更
【補正の内容】
【０００９】
さらに本発明の趣旨に鑑みた場合、下記のような各種の態様を構成することが可能である。（態様１）「段落０００６に記載の遊技機であって、前記第１の図柄表示状態においては、各表示図柄のデザインが互いに関連付けられることを特徴とする遊技機。」 
【手続補正４】
【補正対象書類名】明細書
【補正対象項目名】００１０
【補正方法】変更
【補正の内容】
【００１０】
この態様によれば、上記段落０００６に記載の遊技機に関し、第１の図柄表示状態においては、各表示図柄のデザインが互いに関連付けられるよう構成される。「表示図柄のデザイン」とは、表示図柄が文字で構成される場合には、当該文字に関する大きさ、書体、言語、あるいは漢字ないし数字等の文字種といった文字に関する属性を広く包含する。また表示図柄が図形ないし模様である場合には、当該図形ないし模様のデザインを決定付ける属性についての形態を広く包含する。
【手続補正５】
【補正対象書類名】明細書
【補正対象項目名】００１２
【補正方法】変更
【補正の内容】
【００１２】
（態様２）
「段落０００６または態様１に記載の遊技機であって、
所定の遊技条件の成立に基づき、前記第１の図柄表示手段における表示図柄の表示態様が、前記第２
の図柄表示手段における表示図柄の表示態様に合致するように切り替えられることで前記第１の図柄表示状態が得られることを特徴とする遊技機。」
【手続補正６】
【補正対象書類名】明細書
【補正対象項目名】００１３
【補正方法】変更
【補正の内容】
【００１３】
この態様では、段落０００６または態様１に記載の遊技機において、所定の遊技条件の成立に基づき、第１の図柄表示手段における表示図柄の表示態様が、第２の図柄表示手段における表示図柄の表示態様に合致するように切り替えられ、これによって第１の図柄表示状態が実現される。所定の遊技条件の成立に伴って、各図柄表示手段における表示図柄の表示態様が合致するので、遊技者は、遊技条件が成立したことを、表示態様が統一された表示図柄の組み合わせによって視覚的に把握し易くなるため、遊技における趣向性を一層向上することができる。
【手続補正７】
【補正対象書類名】明細書
【補正対象項目名】００１５
【補正方法】変更
【補正の内容】
【００１５】
（態様３）
「段落０００６、あるいは態様１または２に記載の遊技機であって、
前記第１の図柄表示手段は主表示面を有する一方、前記第２の図柄表示手段は複数の副表示面を有し、
所定の遊技条件が成立した場合に、前記主表示面における表示図柄の表示態様を前記副表示面の少なくとも一つにおける表示図柄の表示態様に連動状に合致させることで前記第１の図柄表示状態が得られることを特徴とする遊技機。」
【手続補正８】
【補正対象書類名】明細書
【補正対象項目名】００１６
【補正方法】変更
【補正の内容】
【００１６】
この態様では、段落０００６、態様１ないし２に記載の遊技機につき、第１の図柄表示手段が主表示面を有するよう構成する。一方、前記第２の図柄表示手段は複数の副表示面を有するよう構成する。そして所定の遊技条件が成立した場合には、主表示面における表示図柄の表示態様が副表示面の少なくとも一つにおける表示図柄の表示態様に連動状に合致するよう構成する。「表示態様が連動状に合致」としては、典型的には各図柄表示手段に表示された図柄が、それぞれの表示態様が統一化された状態で連動して変動表示されるといった態様がこれに該当する。
【手続補正９】
【補正対象書類名】明細書
【補正対象項目名】００２５
【補正方法】変更
【補正の内容】
【００２５】
（態様７）
「段落０００６、または態様１から６までのいずれかに記載の遊技機であって、
前記第１および第２の図柄表示手段は、それぞれ解像度の異なる図柄表示面を有することを特徴とする遊技機。」
【手続補正１０】
【補正対象書類名】明細書
【補正対象項目名】００２６
【補正方法】変更
【補正の内容】
【００２６】
この態様では、段落０００６または態様１から６までのいずれかに記載の遊技機において、第１および第２の図柄表示手段は、それぞれ解像度の異なる図柄表示面を有するよう構成される。例えば、第１の図柄表示手段における解像度を第２の図柄表示手段における解像度よりも高く設定することで、第２の図柄表示手段よりも第１の図柄表示手段の方が図柄表示に関する自由度を高く設定することが可能である。これにより第１の図柄表示手段側の表示図柄につき、第２の図柄表示手段における表示図柄の表示態様に関連付けた状態の表示態様を選択することで、上記第１の図柄表示状態が容易に得られることとなる。
【手続補正１１】
【補正対象書類名】明細書
【補正対象項目名】００２８
【補正方法】変更
【補正の内容】
【００２８】
（態様８）
「段落０００６、または態様１から６までのいずれかに記載の遊技機であって、
前記第１の図柄表示手段は、図柄構成用画素が集合して形成された図柄表示面を有し、
前記第２の図柄表示手段は、複数の図柄が予め配置された図柄表示部を有することを特徴とする遊技機。」
【手続補正１２】
【補正対象書類名】明細書
【補正対象項目名】００２９
【補正方法】変更
【補正の内容】
【００２９】
この態様では、段落０００６または態様１から７までのいずれかに記載の遊技機における第１の図柄表示手段は、図柄構成用画素が集合して形成された図柄表示面を有するよう構成される。また第２の図柄表示手段は、複数の図柄が予め配置された図柄表示部を有するよう構成される。